【手続補正書】
【提出日】平成25年12月20日(2013.12.20)
【手続補正１】
【補正対象書類名】明細書
【補正対象項目名】発明の名称
【補正方法】変更
【補正の内容】
【発明の名称】撮像装置、記録制御方法及びプログラム
【手続補正２】
【補正対象書類名】明細書
【補正対象項目名】０００１
【補正方法】変更
【補正の内容】
【０００１】
本発明は、撮像装置、記録制御方法及びプログラムに関する。
【手続補正３】
【補正対象書類名】明細書
【補正対象項目名】０００７
【補正方法】変更
【補正の内容】
【０００７】
上記目的を達成するため、請求項１に記載の発明は、
被写体を逐次撮像する撮像手段と、
前記撮像手段により逐次撮像されている被写体像を含む画像と、当該被写体像の記録指示のための指標画像とを表示手段に表示させるよう制御する第１の表示制御手段と、
前記第１の表示制御手段により前記表示手段に表示された指標画像と前記撮像手段により逐次撮像されている被写体像とが重なったか否かを判断する重なり判断手段と、
前記重なり判断手段により前記指標画像と前記被写体像とが重なったと判断されると、計時を開始する計時手段と、
前記計時手段による計時時間を表す計時状態画像を前記表示手段に表示させる第２の表示制御手段と、
前記計時手段による計時時間が所定の時間を経過したか否かを判断する時間判断手段と、
前記時間判断手段により計時時間が前記所定の時間を経過したと判断されると、前記被写体像を含む画像を記録手段に記録させるように制御する記録制御手段と、
を備えた撮像装置であることを特徴とする。
【手続補正４】
【補正対象書類名】明細書
【補正対象項目名】０００８
【補正方法】変更
【補正の内容】
【０００８】
また、上記目的を達成するために、請求項２に記載の発明は、
前記撮像手段による撮像方向と前記表示手段による表示方向とが略同一の方向となるように前記撮像手段と前記表示手段とが配設され、
前記第１の表示制御手段は、前記撮像手段により逐次撮像されている被写体像を含む画像を前記被写体から見て鏡像となる状態で前記表示手段に表示させる、
ことを特徴とする。
【手続補正５】
【補正対象書類名】明細書
【補正対象項目名】０００９
【補正方法】変更
【補正の内容】
【０００９】
また、上記目的を達成するために、請求項３に記載の発明は、
前記被写体像は、前記撮像手段が撮像している人物である、
ことを特徴とする。
【手続補正６】
【補正対象書類名】明細書
【補正対象項目名】００１０
【補正方法】変更
【補正の内容】
【００１０】
また、上記目的を達成するために、請求項４に記載の発明は、
画像を記録させる記録制御方法において、
撮像手段により逐次撮像されている被写体像を含む画像と、当該被写体像の記録指示のための指標画像とを表示手段に表示させるよう制御する第１の表示制御ステップと、
前記表示手段に表示された指標画像と逐次撮像されている前記被写体像とが重なったか否かを判断する重なり判断ステップと、
前記重なり判断ステップにより指標画像と前記被写体像とが重なったと判断されると、計時を開始する計時ステップと、
前記計時手段による計時時間を表す計時状態画像を前記表示手段に表示させる第２の表示制御ステップと、
前記計時ステップにより計時時間が所定の時間を経過したか否かを判断する時間判断ステップと、
前記時間判断ステップにより計時時間が前記所定の時間を経過したと判断されると、当該被写体像が含まれる画像を記録手段に記録させるように制御する記録制御ステップと、
を含む記録制御方法であることを特徴とする。
【手続補正７】
【補正対象書類名】明細書
【補正対象項目名】００１１
【補正方法】変更
【補正の内容】
【００１１】
また、上記目的を達成するために、請求項５に記載の発明は、
コンピュータを、
撮像手段により逐次撮像されている被写体像を含む画像と、当該被写体像の記録指示のための指標画像とを表示手段に表示させるように制御する第１の表示制御手段、
前記第１の表示制御手段により前記表示手段に表示された指標画像と逐次撮像されている前記被写体像とが重なったか否かを判断する重なり判断手段、
前記重なり判断手段により前記指標画像と前記被写体像とが重なったと判断されると、計時を開始する計時手段、
前記計時手段による計時時間を表す計時状態画像を前記表示手段に表示させる第２の表示制御手段と、
前記計時手段による計時時間が所定の時間を経過したか否かを判断する時間判断手段、
前記時間判断手段により計時時間が前記所定の時間を経過したと判断されると、当該被写体像を含む画像を記録手段に記録させるように制御する記録制御手段、
として機能させるプログラムであることを特徴とする。
【手続補正８】
【補正対象書類名】特許請求の範囲
【補正対象項目名】全文
【補正方法】変更
【補正の内容】
【特許請求の範囲】
【請求項１】
被写体を逐次撮像する撮像手段と、
前記撮像手段により逐次撮像されている被写体像を含む画像と、当該被写体像の記録指示のための指標画像とを表示手段に表示させるよう制御する第１の表示制御手段と、
前記第１の表示制御手段により前記表示手段に表示された指標画像と前記撮像手段により逐次撮像されている被写体像とが重なったか否かを判断する重なり判断手段と、
前記重なり判断手段により前記指標画像と前記被写体像とが重なったと判断されると、計時を開始する計時手段と、
前記計時手段による計時時間を表す計時状態画像を前記表示手段に表示させる第２の表示制御手段と、
前記計時手段による計時時間が所定の時間を経過したか否かを判断する時間判断手段と、
前記時間判断手段により計時時間が前記所定の時間を経過したと判断されると、前記被写体像を含む画像を記録手段に記録させるように制御する記録制御手段と、
を備えることを特徴とする撮像装置。
【請求項２】
前記撮像手段による撮像方向と前記表示手段による表示方向とが略同一の方向となるように前記撮像手段と前記表示手段とが配設され、
前記第１の表示制御手段は、前記撮像手段により逐次撮像されている被写体像を含む画像を前記被写体から見て鏡像となる状態で前記表示手段に表示させる、
ことを特徴とする請求項１記載の撮像装置。
【請求項３】
前記被写体像は、前記撮像手段が撮像している人物である、
ことを特徴とする請求項１又は２に記載の撮像装置。
【請求項４】
画像を記録させる記録制御方法において、
撮像手段により逐次撮像されている被写体像を含む画像と、当該被写体像の記録指示のための指標画像とを表示手段に表示させるよう制御する第１の表示制御ステップと、
前記表示手段に表示された指標画像と逐次撮像されている前記被写体像とが重なったか否かを判断する重なり判断ステップと、
前記重なり判断ステップにより指標画像と前記被写体像とが重なったと判断されると、計時を開始する計時ステップと、
前記計時手段による計時時間を表す計時状態画像を前記表示手段に表示させる第２の表示制御ステップと、
前記計時ステップにより計時時間が所定の時間を経過したか否かを判断する時間判断ステップと、
前記時間判断ステップにより計時時間が前記所定の時間を経過したと判断されると、当該被写体像が含まれる画像を記録手段に記録させるように制御する記録制御ステップと、
を含むことを特徴とする記録制御方法。
【請求項５】
コンピュータを、
撮像手段により逐次撮像されている被写体像を含む画像と、当該被写体像の記録指示のための指標画像とを表示手段に表示させるように制御する第１の表示制御手段、
前記第１の表示制御手段により前記表示手段に表示された指標画像と逐次撮像されている前記被写体像とが重なったか否かを判断する重なり判断手段、
前記重なり判断手段により前記指標画像と前記被写体像とが重なったと判断されると、計時を開始する計時手段、
前記計時手段による計時時間を表す計時状態画像を前記表示手段に表示させる第２の表示制御手段と、
前記計時手段による計時時間が所定の時間を経過したか否かを判断する時間判断手段、
前記時間判断手段により計時時間が前記所定の時間を経過したと判断されると、当該被写体像を含む画像を記録手段に記録させるように制御する記録制御手段、
として機能させることを特徴とするプログラム。